(57)【要約】【課題】使用者が動作中の表示装置の画面上で、消費電力の低減効果の割合を一目で把握することができる表示装置を提供する。【解決手段】表示画面の大きさ、バックライトの輝度値、および音量値に基づき、表示装置における消費電力に関する情報を取得する取得手段と、上記消費電力に関する情報を、表示用の情報に変換する変換手段と、上記表示用の情報を表示する表示手段とを備えているので、使用者が動作中の表示装置の画面上で、消費電力の低減効果の割合を一目で把握することができる表示装置を提供することができる。【選択図】図１
2011015366.tif 000002
【特許請求の範囲】
【請求項１】
表示画面の大きさ、バックライトの輝度値、および音量値に基づき、表示装置における消費電力に関する情報を取得する取得手段と、
上記消費電力に関する情報を、表示用の情報に変換する変換手段と、
上記表示用の情報を表示する表示手段とを備えていることを特徴とする表示装置。
【請求項２】
上記輝度値と上記輝度値における消費電力値とを一対一で対応づけた第１のテーブル、および上記音量値と上記音量値における消費電力値とを一対一で対応づけた第２のテーブルを、上記表示画面の大きさごとに有する記憶手段をさらに備え、
上記取得手段は、自装置の上記表示画面の大きさに基づき上記記憶手段の中から上記第１のテーブルおよび第２のテーブルを選択し、
選択した上記第１のテーブルの中から上記輝度値に対応する上記消費電力値を取得するとともに、選択した上記第２のテーブルの中から上記音量値に対応する上記消費電力値を取得し、
取得した２つの上記消費電力値に基づき、上記消費電力に関する情報を取得することを特徴とする請求項１に記載の表示装置。
【請求項３】
上記表示手段は、上記表示用の情報をリアルタイムに表示することを特徴とする請求項１または２に記載の表示装置。
【請求項４】
上記取得手段は、一定時間ごとに上記消費電力に関する情報を取得し、
上記表示手段は、上記取得手段が取得した最新の上記消費電力に関する情報から生成された最新の上記表示用の情報と、当該最新の上記表示用の情報よりも過去に生成された上記表示用の情報とを、互いに関連付けて同時に表示することを特徴とする請求項１〜３のいずれか１項に記載の表示装置。
【請求項５】
上記表示手段は、上記各表示用の情報をグラフにして表示することを特徴とする請求項１〜４のいずれか１項に記載の表示装置。
【請求項６】
映像を取得する映像取得手段をさらに備え、
上記表示手段は、上記映像に上記表示用の情報を重ねて表示することを特徴とする請求項１〜５のいずれか１項に記載の表示装置。
【請求項７】
上記表示手段は、上記表示用の情報を上記映像に透過させて表示することを特徴とする請求項６に記載の表示装置。
【請求項８】
上記表示装置の外部をセンサを用いて測定することによって、測定情報を取得する測定手段と、
上記表示手段による上記映像と上記表示用の情報との重ね合わせ処理を、上記測定情報に基づき制御する制御手段とをさらに備えていることを特徴とする請求項６または７に記載の表示装置。
【請求項９】
上記センサは上記表示装置の外光の光量を測定する光センサであり、
上記測定情報に応じて、上記表示装置における表示画面の輝度を制御する表示画面輝度制御手段をさらに備えていることを特徴とする請求項８に記載の表示装置。
【請求項１０】
上記表示画面輝度制御手段は、上記表示装置におけるバックライトの輝度を制御することを特徴とする請求項９に記載の表示装置。
【請求項１１】
上記制御手段による上記制御の有無を設定可能な設定手段をさらに備えていることを特徴とする請求項８に記載の表示装置。
【請求項１２】
上記表示手段は、上記制御の有無に関する情報をさらに表示することを特徴とする請求項１０に記載の表示装置。
【請求項１３】
上記表示装置における動作モードを切り換える切換手段をさらに備え、
上記表示手段は、上記表示用の情報を上記動作モードに応じた形態で表示することを特徴とする請求項１〜１２のいずれか１項に記載の表示装置。
【請求項１４】
上記切換手段は、少なくとも上記表示装置を個別に認識する暗号化された情報が格納された記録媒体から読み出した、上記暗号化された情報に基づき、上記動作モードを切り換えることを特徴とする請求項１３に記載の表示装置。
【請求項１５】
上記記録媒体は、上記表示装置に挿入されたＢ−ＣＡＳカードであり、上記切換手段は、上記Ｂ−ＣＡＳカードの種類に基づき、上記動作モードを切り換えることを特徴とする請求項１４に記載の表示装置。
【請求項１６】
上記取得手段は、上記映像の輝度に関する値に基づき上記消費電力を算出することによって、上記消費電力に関する情報を取得することを特徴とする請求項６〜１２のいずれか１項に記載の表示装置。
【請求項１７】
上記取得手段は、あらかじめ定められているバックライトの輝度設定値に基づき上記消費電力を算出することによって、上記消費電力に関する情報を取得することを特徴とする請求項１〜１６のいずれか１項に記載の表示装置。
【請求項１８】
上記取得手段は、あらかじめ定められている音量設定値に基づき上記消費電力を算出することによって、上記消費電力に関する情報を取得することを特徴とする請求項１〜１７のいずれか１項に記載の表示装置。
【請求項１９】
上記取得手段は、上記映像取得手段が取得対象の上記映像を他の映像に切り換える処理を実行している間、上記消費電力に関する情報の取得を一時停止することを特徴とする請求項６〜１２のいずれか１項に記載の表示装置。
【請求項２０】
上記表示手段は、上記映像取得手段が取得対象の上記映像を他の映像に切り換える処理を実行している間、上記表示用の情報の表示を一時停止することを特徴とする請求項６〜１０のいずれか１項に記載の表示装置。
【請求項２１】
上記表示装置はテレビジョン装置であり、
上記表示手段は、チャンネルの切り換えに応じて、上記表示用の情報を表示することを特徴とする請求項１から２０のいずれか１項に記載の表示装置。
【請求項２２】
上記表示手段が上記チャンネルを切り換えた後、一定の時間が経過した後に、上記表示用の情報の表示を自動的に終了する計時手段をさらに備えていることを特徴とする請求項２１に記載の表示装置。
【請求項２３】
表示画面の大きさ、バックライトの輝度値、および音量値に基づき、表示装置における消費電力に関する情報を取得する取得ステップと、
上記消費電力に関する情報を、表示用の情報に変換する変換ステップと、
上記表示用の情報を表示する表示ステップとを備えていることを特徴とする表示方法。
【請求項２４】
請求項１〜２２のいずれか１項に記載の表示装置を動作させるプログラムであって、コンピュータを上記の各手段として機能させるためのプログラム。
【請求項２５】
請求項２４に記載のプログラムを記録しているコンピュータ読み取り可能な記録媒体。
【発明の詳細な説明】
【技術分野】
【０００１】
本発明は、表示画面の大きさ、バックライトの輝度値、および音量値に基づいて取得した消費電力に関する情報を表示する表示装置、表示方法、プログラムおよび記録媒体に関する。
【背景技術】
【０００２】
地球環境問題に対応するために、京都議定書において、各国における二酸化炭素を含む温室効果ガスの削減目標が設定されている。我が国では、６％削減に取り組むことを世界に約束している。
【０００３】
近年、テレビの大型化/高画質化に伴い機器の消費電力量も大きくなる傾向にある中で、使用者の使い方はさまざまである。そのため、大画面かつ高画質な画像の表示は維持しつつ、電力の消費を抑えた省電力型テレビの開発と同時に、使用するテレビの消費電力量、またはその動作状態が画面上において一目で分かるテレビの開発が望まれている。
【０００４】
また、販売店の店頭においては、例えば、デモ表示しながら画面の輝度を低下させる（例えば、テレビに備えられている照度センサの受光部を手によって塞ぐ等）と、画面の表示輝度が下がる結果として、テレビの消費電力が下がることを目で見て確認できる。しかし、このような照度センサの効果的な使用方法を一般のユーザーに報知でき、省エネテレビとしての使い方を訴求できるテレビは存在していなかった。
【０００５】
ここで、ユーザーが自らの操作により消費電力の低減を実現するために、テレビの画面または本体の筺体の一部に設けたディスプレイに動作中の消費電力を表示する技術がある。例えば、２００８ＣＥＳ（consumer electronics show）において、Ｐｈｉｌｉｐｓによるデモンストレーションでは、ＡＶポジション（例えば、Personal/Sports/Standard/Movie/Game/Power Saver）ごとの消費電力の割合（最大値と最小値の間における動作電力）を縦バーで表示したり、テレビの横に設置した専用のＰｏｗｅｒ  Ｌｅｖｅｌ  Ｍｅｔｅｒ（電力メーター：ディスプレイ）に動作中の消費電力を動的にデジタル値で表示したＥｃｏ（エコ）テレビが展示された。
【０００６】
また、特許文献１には、過去数回分の視聴開始時刻および視聴終了時刻をメモリに記憶し、この記憶した情報を履歴として画面上にグラフ表示するテレビジョン受像機が記載されている。また、特許文献２には、電力消費を低減すべき状態となった場合には、超低消費電力モードに自動的に切り替え、情報を入手可能な最低限の画面表示輝度に自動的に低下させて、映像を表示するための消費電力を最小限に抑える映像表示装置が記載されている。また、特許文献３には、テレビジョン受信機において、消費電力表示スイッチを操作することにより、消費電力をＣＲＴ（Cathode ray tube）画面上に定量的にオンスクリーン表示する消費電力レベル表示装置が記載されている。
【０００７】
さらに、特許文献４には、テレビジョン受像機において、消費電力表示スイッチの操作により消費電力をＣＲＴ画面上に定量的にオンスクリーン表示するテレビ受信装置が記載されている。
【先行技術文献】
【特許文献】
【０００８】
【特許文献１】特開平９−４６６０８号公報（１９９７年２月１４日公開）
【特許文献２】国際公開第２００６／０４０９９８号パンフレット（２００６年４月２０日公開）
【特許文献３】特開平７−２１２６６６号公報（１９９５年８月１１日公開）
【特許文献４】特開２００７−２８８４３２号公報（２００７年１１月１日公開）
【発明の概要】
【発明が解決しようとする課題】
【０００９】
しかしながら、上述した従来技術では、いずれも、消費電力の表示方法が好ましいものではない。すなわち、特許文献１および２の技術では、画面上に消費電力を表示するものの、具体的にどの動作がどの程度電力を消費しているのかを、使用者が把握することができない。よって、使用者に対して省エネを啓蒙するのに十分ではない。
【００１０】
また、特許文献３の技術では、消費電力量を具体的にどのように定量的に表示するのかについて一切記載されていない。
【００１１】
本発明は、上記の問題点に鑑みてなされたものであり、その目的は、使用者が動作中の表示装置の画面上で、消費電力の低減効果の割合を一目で把握することができる表示装置を提供することにある。
【課題を解決するための手段】
【００１２】
本発明に係る表示装置は、上記の課題を解決するために、表示画面の大きさ、バックライトの輝度値、および音量値に基づき、表示装置における消費電力に関する情報を取得する取得手段と、
上記消費電力に関する情報を、表示用の情報に変換する変換手段と、
上記表示用の情報を表示する表示手段とを備えていることを特徴している。
【００１３】
上記の構成によれば、表示装置は、表示画面の大きさ、バックライトの輝度値、および音量値に基づき、表示装置における消費電力に関する情報を取得し、当該消費電力に関する情報を表示する。
【００１４】
表示装置は、消費電力に関する情報を表示用の情報に変換して表示する。ここでいう表示用の情報とは、使用者が表示装置の消費電力を視覚的に確認できるように、表示装置に表示される情報である。表示手段は、この変換された情報を表示パネル等において表示する。これにより、使用者が動作中の表示装置の消費電力を容易に把握することが可能となり、その結果、使用者の省エネに対する意識を高めることができる。
【００１５】
本構成によれば、表示画面の大きさごとの輝度値または音量値において消費される電力量を取得するので、実際に消費される電力量を適切に表示することができる。
【００１６】
（消費電力情報の取得）
また、本発明に係る表示装置は、上記輝度値と上記輝度値における消費電力値とを一対一で対応づけた第１のテーブル、および上記音量値と上記音量値における消費電力値とを一対一で対応づけた第２のテーブルを、上記表示画面の大きさごとに有する記憶手段をさらに備え、上記取得手段は、自装置の上記表示画面の大きさに基づき上記記憶手段の中から上記第１のテーブルおよび第２のテーブルを選択し、選択した上記第１のテーブルの中から上記輝度値に対応する上記消費電力値を取得するとともに、選択した上記第２のテーブルの中から上記音量値に対応する上記消費電力値を取得し、取得した２つの上記消費電力値に基づき、上記消費電力に関する情報を取得することが好ましい。
【００１７】
上記の構成によれば、表示装置は、輝度値と当該輝度値における消費電力値とを一対一で対応づけた第１のテーブルと、音量値と当該音量値における消費電力値とを一対一で対応づけた第２のテーブルとを、表示画面の大きさごとに有している。そのため、取得手段は自装置の表示画面の大きさ、表示画面の輝度値、および出力されている音量値を取得すると、テーブルから当該輝度値および音量値にそれぞれ対応する消費電力値を取得する。さらに、取得した消費電力値に基づき、消費電力に関する情報を取得する。
【００１８】
よって、自装置の表示画面の大きさに応じて、適切な消費電力に関する情報を取得することができる。
【００１９】
（リアルタイム表示）
また、本発明に係る表示装置において、上記表示手段は、上記表示用の情報をリアルタイムに表示することが好ましい。
【００２０】
上記の構成によれば、表示装置は、表示装置における消費電力に関する情報を表示用の情報に変換し、当該表示用の情報をリアルタイムに表示する。表示装置における消費電力は、例えば、表示手段によって表示される映像の輝度、バックライトの設定値またはスピーカの音量設定値に基づいて算出した値である。
【００２１】
また、表示手段は当該表示用の情報をリアルタイムに表示するので、刻々と変化する表示装置の消費電力を動的に表示することができる。
【００２２】
以上のように、表示装置は、表示装置における消費電力に関する情報を表示用の情報に変換し、リアルタイムに表示する。よって、使用者が現在動作中の表示装置の消費電力を容易に把握することができる。その結果、使用者の省エネに対する意識を高めることができる。
【００２３】
また、例えば、消費電力に関する情報を一定時間ごとに取得し、この情報を時系列に同時に比較表示した場合、使用者は自身の機器操作によって、消費電力がどの程度変化するかを確認することができる。
【００２４】
また、本発明に係る表示装置において、上記取得手段は、一定時間ごとに上記消費電力に関する情報を取得し、上記表示手段は、上記取得手段が取得した最新の上記消費電力に関する情報から生成された最新の上記表示用の情報と、当該最新の上記表示用の情報よりも過去に生成された上記表示用の情報とを、互いに関連付けて同時に表示することが好ましい。
【００２５】
上記の構成によれば、取得手段は、一定時間ごとに消費電力に関する情報を取得し、取得した複数の情報を表示用の情報に変換して表示手段が表示する。すなわち、表示手段は、一定時間ごとに取得手段によって取得された消費電力に関する情報のうち、最新の消費電力に関する情報から生成された最新の表示用の情報と、当該最新の表示用の情報よりも過去に生成された表示用の情報とを表示する。このとき、これら複数の表示用の情報を互いに関連付けて同時に表示する。
【００２６】
これにより、使用者は、表示装置における一定時間ごとの消費電力を容易に比較することができる。したがって、使用者がスピーカの音量または表示パネルの明るさ等の設定を変えた場合に、消費電力がどの程度変動するのかを視覚的に認識することができる。
【００２７】
また、本発明に係る表示装置において、上記表示手段は、上記各表示用の情報をグラフにして表示することが好ましい。
【００２８】
上記の構成によれば、表示装置における消費電力の値を示す表示用の情報をグラフにして表示するので、例えば数字等により表示する場合と比較して、一見して消費電力の増減を認識することができる。
【００２９】
また、本発明に係る表示装置は、映像を取得する映像取得手段をさらに備え、上記表示手段は、上記映像に上記表示用の情報を重ねて表示することが好ましい。
【００３０】
上記の構成によれば、表示手段は、映像取得手段が取得した映像と、消費電力の値を示す表示用の情報とを同時に重ねて表示する。よって、使用者がテレビ番組などの映像を見ているときに、同時に消費電力を認識することができる。
【００３１】
また、本発明に係る表示装置において、上記表示手段は、上記表示用の情報を上記映像に透過させて表示することが好ましい。
【００３２】
上記の構成によれば、表示手段は、消費電力の値を示す表示用の情報を映像取得手段が取得した映像に透過させて表示する。すなわち、表示手段は、表示用の情報をその背面が透過して見えるような半透明状態で表示する。
【００３３】
これにより、表示用の情報が表示されている箇所においても、当該情報の上から映像を見ることができる。
【００３４】
また、本発明に係る表示装置は、上記表示装置の外部をセンサを用いて測定することによって、測定情報を取得する測定手段と、上記表示手段による上記映像と上記表示用の情報との重ね合わせ処理を、上記測定情報に基づき制御する制御手段とをさらに備えていることが好ましい。
【００３５】
上記の構成によれば、測定手段は、センサを用いて表示装置の外部を測定し、制御手段は、この測定した情報に基づいて、表示手段による映像と表示用の情報との重ね合わせ処理を制御する。重ね合わせ処理とは、映像取得手段によって取得された映像に、不透明または半透明の表示用の情報を重ねて表示させることが意図される。また測定手段は、例えば、表示装置の外光の光量等を測定する。
【００３６】
これにより、本発明に係る表示装置が、消費電力を低減するための機能を備えていること、および、例えば、測定手段による測定機能をオン／オフと設定可能であれば、この測定機能を設定することにより、消費電力が低減できるとともに、環境負荷も低減できることを使用者にアピールすることができる。
【００３７】
また、本発明に係る表示装置は、上記センサは上記表示装置の外光の光量を測定する光センサであり、上記測定情報に応じて、上記表示装置における表示画面の輝度を制御する表示画面輝度制御手段をさらに備えていることが好ましい。
【００３８】
上記の構成によれば、表示装置の外部を測定するセンサは光センサであり、表示装置の外光の光量を測定する。また、表示画面輝度制御手段は、光センサによって測定した外光の光量に応じて、表示画面の輝度を制御する。
【００３９】
これにより、表示装置の周囲の照度環境に応じて、表示装置における消費電力を低減させることができる。
【００４０】
また、本発明に係る表示装置において、上記表示画面輝度制御手段は、上記表示装置におけるバックライトの輝度を制御することが好ましい。
【００４１】
上記の構成によれば、表示画面輝度制御手段は、光センサによって測定した外光の光量に応じて、表示装置に具備されるバックライトの輝度を制御する。
【００４２】
また、本発明に係る表示装置は、上記制御手段による上記制御の有無を設定可能な設定手段をさらに備えていることが好ましい。
【００４３】
上記の構成によれば、設定手段は、上述した、重ね合わせ処理を制御するか否かを設定することができる。
【００４４】
また、設定手段における設定は、例えば、使用者が表示装置に直接入力することにより任意に行なうことができる。これにより、使用者は重ね合わせ処理を制御するか否かを任意に設定することができる。
【００４５】
また、本発明に係る表示装置において、上記表示手段は、上記制御の有無に関する情報をさらに表示することが好ましい。
【００４６】
上記の構成によれば、表示手段は、制御手段が重ね合わせ処理を制御するか否かを設定するための情報を表示する。これにより、使用者は重ね合わせ処理を制御するか否かを容易に設定することができる。
【００４７】
また、本発明に係る表示装置は、上記表示装置における動作モードを切り換える切換手段をさらに備え、上記表示手段は、上記表示用の情報を上記動作モードに応じた形態で表示することが好ましい。
【００４８】
上記の構成によれば、切換手段は、表示装置における動作モードを切り換えており、表示手段は、当該動作モードに応じた形態で表示用の情報を表示する。したがって、使用者のニーズに合った表示をすることができる。
【００４９】
また、本発明に係る表示装置において、上記切換手段は、少なくとも上記表示装置を個別に認識する暗号化された情報が格納された記録媒体から読み出した、上記暗号化された情報に基づき、上記動作モードを切り換えることが好ましい。
【００５０】
（Ｂ−ＣＡＳカードの種類に基づいた表示）
また、本発明に係る表示装置において、上記記録媒体は、上記表示装置に挿入されたＢ−ＣＡＳカードであり、上記切換手段は、上記Ｂ−ＣＡＳカードの種類に基づき、上記動作モードを切り換えることが好ましい。
【００５１】
上記の構成によれば、店頭展示用のＢ−ＣＡＳカード、家庭用のＢ−ＣＡＳカードまたは業務用のＢ−ＣＡＳカード等、用途に応じて、表示用の情報を表示することができる。
【００５２】
（消費電力の算出）
また、本発明に係る表示装置において、上記取得手段は、上記映像の輝度に関する値に基づき上記消費電力を算出することによって、上記消費電力に関する情報を取得することが好ましい。また、本発明に係る表示装置において、上記取得手段は、あらかじめ定められているバックライトの輝度設定値に基づき上記消費電力を算出することによって、上記消費電力に関する情報を取得することが好ましい。また、本発明に係る表示装置において、上記取得手段は、あらかじめ定められている音量設定値に基づき上記消費電力を算出することによって、上記消費電力に関する情報を取得することが好ましい。
【００５３】
上記の構成によれば、表示装置は、映像の輝度に関する値、あらかじめ定められているバックライトの輝度設定値またはあらかじめ定められている音量設定値に基づいて消費電力を算出する。
【００５４】
また、本発明に係る表示装置において、上記取得手段は、上記映像取得手段が取得対象の上記映像を他の映像に切り換える処理を実行している間、上記消費電力に関する情報の取得を一時停止することが好ましい。また、本発明に係る表示装置において、上記表示手段は、上記映像取得手段が取得対象の上記映像を他の映像に切り換える処理を実行している間、上記表示用の情報の表示を一時停止することが好ましい。
【００５５】
上記の構成によれば、取得手段は、映像取得手段が取得対象の映像を他の映像に切り換える処理を実行している間、消費電力に関する情報の取得、または表示用の情報の表示を一時停止する。
【００５６】
つまり、映像取得手段が取得対象の映像を他の映像に切り換える処理を実行しているとき、当該処理を実行中の画面は何も表示されていない状態、すなわち黒くなる。この状態では、画面の輝度等の消費電力量が極端に下がり、消費電力に関する情報に連続性がなくなる。
【００５７】
したがって、当該処理を実行している間、消費電力に関する情報の取得、または表示用の情報の表示を一時停止することにより、消費電力に関する情報を連続的に表示することができる。
【００５８】
（表示装置＝テレビ）
また、本発明に係る表示装置は、テレビジョン装置であり、上記表示手段は、チャンネルの切り換えに応じて、上記表示用の情報を表示することが好ましい。また、上記表示手段が上記チャンネルを切り換えた後、一定の時間が経過した後に、上記表示用の情報の表示を自動的に終了する計時手段をさらに備えていることが好ましい。
【００５９】
これにより、使用者が表示用の情報の表示の有無を手動で操作しなくてもよい。
【００６０】
（表示方法）
本発明に係る表示方法は、上記の課題を解決するために、表示装置における消費電力に関する情報を取得する取得ステップと、上記消費電力に関する情報を、表示用の情報に変換する変換ステップと、少なくとも上記表示用の情報をリアルタイムに表示する表示ステップとを備えていることを特徴としている。
【００６１】
上記の構成によれば、表示装置における消費電力に関する情報を表示用の情報に変換し、リアルタイムに表示する。よって、使用者が現在動作中の表示装置の消費電力を容易に把握することができる。その結果、使用者の省エネに対する意識を高めることができる。
【００６２】
（プログラムおよび記録媒体）
なお、上記表示装置は、コンピュータによって実現してもよい。この場合、コンピュータを上記各手段として動作させることにより上記表示装置をコンピュータにおいて実現するプログラム、およびそのプログラムを記録したコンピュータ読み取り可能な記録媒体も、本発明の範疇に入る。
【発明の効果】
【００６３】
本発明は、表示画面の大きさ、バックライトの輝度値、および音量値に基づき、表示装置における消費電力に関する情報を取得する取得手段と、上記消費電力に関する情報を、表示用の情報に変換する変換手段と、上記表示用の情報を表示する表示手段とを備えているので、使用者が動作中の表示装置の画面上で、消費電力の低減効果の割合を一目で把握することができる表示装置を提供することができる。
【図面の簡単な説明】
【００６４】
【図１】本発明の一実施形態に係る表示装置の要部構成を示すブロック図である。
【図２】本発明の一実施形態に係る表示装置におけるバックライトを示す説明図である。
【図３】本発明の一実施形態に係る表示装置における、別のバックライトを示す説明図である。
【図４】本発明の一実施形態に係る表示装置における消費電力情報の表示形態の一例を示す図である。
【図５】本発明の一実施形態に係る表示装置における消費電力を示す棒グラフである。
【図６】本発明の一実施形態に係る表示装置における消費電力を示す折れ線グラフである。
【図７】図７（ａ）は、本発明の一実施形態に係る表示装置における消費電力値の算出手段を示す図であり、図７（ｂ）は、一定の時間測定した音声信号から、時間−平均電力特性を測定した図であり、図７（ｃ）は、音声信号平均電力−消費電力特性を示す図である。
【図８】本発明の一実施形態に係る表示装置における、表示用の情報の動作モードの一例を示す説明図であり、Ｂ−ＣＡＳカードの種類に基づいた表示を示す。
【図９】本発明の一実施形態に係る表示装置における、表示用の情報の動作モードの一例を示す説明図であり、Ｂ−ＣＡＳカードの種類に基づいた表示を示す。
【図１０】本発明の一実施形態に係る表示装置における、表示用の情報の動作モードの一例を示す説明図であり、消費電力の強調表示を示す棒グラフである。
【図１１】本発明の一実施形態に係る表示装置における、表示用の情報の動作モードの一例を示す説明図であり、消費電力の強調表示を示す折れ線グラフである。
【図１２】本発明の一実施形態に係る表示装置における、表示用の情報の動作モードの一例を示す説明図であり、現在の消費電力に基づくアドバイス情報の表示を示す。
【図１３】本発明の一実施形態に係る表示装置における、表示用の情報の動作モードの一例を示す説明図であり、現在の消費電力に基づくアドバイス情報の表示を示す。
【図１４】本発明の一実施形態に係る表示装置における、表示用の情報の動作モードの一例を示す説明図であり、その他のアドバイス情報の表示を示す。
【図１５】本発明の一実施形態に係る表示装置における、表示用の情報の動作モードの一例を示す説明図であり、現在の消費電力に基づくアニメーションによる表示を示す。
【図１６】本発明の一実施形態に係る表示装置における、表示用の情報の動作モードの一例を示す説明図であり、現在の消費電力に基づくアニメーションによる表示を示す。
【図１７】本発明の一実施形態に係る表示装置における、表示用の情報のデモンストレーションを示す説明図である。
【図１８】本発明の別の実施形態に係る表示装置の構成を示すブロック図である。
【発明を実施するための形態】
【００６５】
本発明に係る表示装置の一実施形態について、図１〜図１８を参照して以下に説明する。
【００６６】
（表示装置１の構成）
図１は、本発明の一実施形態に係る表示装置１の構成を示すブロック図である。本実施形態に係る表示装置１は、表示パネル２、バックライト３、入力部（設定手段）４、消費電力情報記憶部（記憶手段）１９、消費電力情報取得部（取得手段）５、映像取得部（映像取得手段）６、消費電力情報変換部（変換手段）７、重ね合わせ処理制御部（制御手段）８、外光測定部（測定手段）９、動作モード切換部（切換手段）１０、バックライト制御部（表示画面輝度制御手段）１１、表示部（表示手段）１２およびスピーカ１３を備えている。
【００６７】
表示装置１は、表示装置１において消費される電力を表示する表示装置である。具体的には、表示装置１は表示画面の大きさ、バックライト３の輝度値、および音量値に基づき、表示装置１における消費電力に関する情報を取得し、表示パネル２において表示する。
【００６８】
表示装置は、消費電力に関する情報を表示用の情報に変換して表示する。ここでいう表示用の情報とは、使用者が表示装置の消費電力を視覚的に確認できるように、表示装置に表示される情報である。表示手段は、この変換された情報を表示パネル等において表示する。これにより、使用者が動作中の表示装置の消費電力を容易に把握することが可能となり、その結果、使用者の省エネに対する意識を高めることができる。
【００６９】
本明細書において、「消費電力に関する情報」とは、表示装置１の動作中に、表示装置１の各機器が消費した電力に関する情報が意図される。消費電力に関する情報としては、例えば、バックライト３の輝度、スピーカ１３の音量または表示パネル２の輝度等が消費した電力が挙げられる。
【００７０】
また、「表示用の情報」とは、消費電力に関する情報を、表示パネル２において表示されるように生成した情報が意図される。
【００７１】
表示パネル２は、映像および表示用の情報を実際に表示する表示画面として機能するパネルである。具体的には、表示パネル２は、表示部１２から入力された映像および表示用の情報に基づいて表示する。
【００７２】
バックライト３は、表示パネル２を照射する光源であり、表示パネル２の背面に設けられている。バックライト３としては、例えば、図２に示すようにＣＣＦＬ（冷陰極管：cold cathode fluorescent lamp）２４であってもよいし、図３に示すようにＬＥＤ（light-emitting diode）３３であってもよい。図２および図３は、それぞれ、本発明の一実施形態に係る表示装置１のバックライト３を示す説明図である。
【００７３】
なお、本実施形態に係る表示装置１では、表示パネル２の光源としてバックライト３を用いたが、これに限定されるものではなく、例えば、フロントライトまたはエッジライト等を用いてもよい。
【００７４】
入力部４は、使用者によるバックライト３の輝度またはスピーカ１３の音量の設定を受けつける。入力部４は、例えば図示しないリモコン、または表示装置１の一部に設けられた操作キーから出力された設定情報を受けつけ、消費電力情報取得部５に出力する。なお、入力部４は、バックライト３の輝度またはスピーカ１３の音量の他にも、例えば、表示用の情報の表示の有無等、使用者によって設定可能な表示装置１における各種動作の設定を受けつける。
【００７５】
消費電力情報記憶部１９は、表示装置１における消費電力に関する情報を記憶する。具体的には、消費電力情報記憶部１９は、輝度値と当該輝度値における消費電力値とを一対一で対応づけた第１のテーブル、および音量値と当該上記音量値における消費電力値とを一対一で対応づけた第２のテーブルを、表示画面の大きさごとに有している。
【００７６】
消費電力情報取得部５は、表示装置１における消費電力に関する情報を取得する。具体的には、消費電力情報取得部５は、まず、自装置の表示画面の大きさに基づき消費電力情報記憶部１９の中から第１のテーブルおよび第２のテーブルを選択する。次に、現在使用中のバックライト３の輝度値および音量値に基づき、選択した第１のテーブルの中から輝度値に対応する消費電力値を取得するとともに、選択した第２のテーブルの中から音量値に対応する消費電力値を取得する。さらに、取得した２つの音量値に基づき、消費電力に関する情報を取得する。なお、輝度値および音量値から消費電力値を算出する方法については、後述する。
【００７７】
また、消費電力情報取得部５は、一定時間ごとに消費電力に関する情報を取得することが好ましい。ここで、「一定時間」とは、時間の経過とともに、表示用の情報を動的に変化するように表示することが可能な期間が意図される。例えば、当該情報を１秒間ごとに取得すると同時に、表示用の情報に変換すれば、表示部１２がこの表示用の情報を１秒間ごとに、リアルタイムに表示することができる。
【００７８】
ここで、本明細書において、「リアルタイムに表示する」とは、表示装置１において現在消費されている電力を、時間の経過とともに、動的に変化するように表示することが意図される。なお、当該表示が変化する間隔は、使用者が現在動作中の表示装置１における消費電力の変化を認識できる程度の間隔にすればよい。
【００７９】
映像取得部６は、例えば図示しないチューナーまたはコンテンツ配信サーバ等からテレビ番組等の映像情報を取得し、表示部１２に出力する。なお、映像情報が表示部１２に出力される際、例えば、予め記憶された表示すべきコンテンツを生成するための情報に基づいて、映像情報を処理してもよい。
【００８０】
消費電力情報変換部７は、消費電力情報取得部５が取得した消費電力に関する情報を表示用の情報に変換する。すなわち、消費電力情報変換部７は、消費電力に関する情報から、表示パネル２において表示される形態に生成し、表示用の情報を得る。また、消費電力情報変換部７は、得られた表示用の情報を、表示部１２に出力する。
【００８１】
重ね合わせ処理制御部８は、表示部１２が入力された映像に表示用の情報を重ねて表示する（ＯＳＤ：on screen display）際の処理を制御する。以下、この処理を「重ね合わせ処理」という。重ね合わせ処理制御部８は、外光測定部９によって測定された測定情報に基づき、重ね合わせ処理を制御する。すなわち、重ね合わせ処理制御部８は、当該測定情報に基づき、消費電力に関する情報から、例えば、消費電力のレベルを示すバーまたはその背景等の、表示用の情報を生成し、映像と重ね合わせる。
【００８２】
また、重ね合わせ処理制御部８による、重ね合わせ処理の制御の有無は、入力部４において設定することができる。このとき、表示部１２は、重ね合わせ処理の制御の有無に関する情報を表示することが好ましい。例えば、表示部１２は、使用者が重ね合わせ処理の制御の有無を設定するために、光センサを「ＯＮ」または「ＯＦＦ」にするかを選択可能な情報を表示する。ここで、例えば、使用者が光センサを「ＯＮ」と設定した場合、重ね合わせ処理制御部８は重ね合わせ処理を制御し、光センサを「ＯＦＦ」をと設定した場合、重ね合わせ処理制御部８は重ね合わせ処理の制御を行なわない。
【００８３】
外光測定部９は、表示装置１の外部を、センサを用いて測定する。例えば、外光測定部９は、光センサを用いて、表示装置１の外光の光量を測定する。この場合、重ね合わせ処理制御部８は、表示装置１の外光の光量に基づいて、重ね合わせ処理を制御する。
【００８４】
また、当該センサをオンに設定した場合、表示装置の周囲の明るさが暗くなったとき（例えば、夕方または夜間等）、表示パネル２の輝度が相対的に明るく感じるのを抑制するため、当該センサの測定結果に応じて画面の輝度を若干低下させる。その結果、消費電力を下げることができる。
【００８５】
なお、測定情報としては、この他に、例えば、使用者が表示装置１を使用する時間帯を測定した使用時間帯情報が挙げられる。これによれば、使用者が表示装置１を主に使用する時間帯を想定することができる。この使用時間帯情報を、例えば、使用者の視聴時間履歴から測定したとき、この使用者が主に夜間に表示装置１を使用することが想定されれば、これに応じて表示パネル２の輝度を調整できる。
【００８６】
動作モード切換部１０は、表示装置１の動作モードを切り換える。すなわち、動作モードとは、表示パネル２において表示用の情報を表示する各種形態である。動作モード切換部１０が、動作モードを切り換えることによって、表示部１２が当該動作モードに応じた形態で表示用の情報を表示する。
【００８７】
また、動作モード切換部１０による切り替えは、例えば、図示しない記録媒体に格納された、表示装置１を個別に認識する、暗号化された情報に基づいて行なうことができる。この記録媒体としては、例えば、Ｂ−ＣＡＳカード等が挙げられる。この場合、動作モード切換部１０は、表示装置１に挿入されたＢ−ＣＡＳカードの種類に基づいて、動作モードを切り換える。
【００８８】
バックライト制御部１１は、外光測定部９が光センサを用いて測定した測定情報に応じて、バックライト３の輝度を制御する。これにより、表示装置１の周囲の照度環境に応じて、表示装置１における消費電力を低減させることができる。
【００８９】
なお、本実施形態に係る表示装置１は、光センサによって測定した外光に応じて、バックライト制御部１１がバックライト３の輝度を制御するが、これに限定されるものではなく、例えば、測定した外光に応じて、表示パネル２の輝度を制御する手段を備えていてもよい。
【００９０】
表示部１２は、消費電力情報変換部７から入力された表示用の情報を表示パネル２に出力する。すなわち、表示部１２は、表示用の情報がリアルタイムに表示されるように、表示パネル２に出力する。表示部１２が表示パネル２に表示用の情報を出力する際、表示用の情報は、例えば、グラフ表示、透過表示、色別表示およびＡＶポジションまたは音声モードに応じて異なる表示等で表示することができる。なお、表示用の情報の具体的な表示形態については、後述する。
【００９１】
（消費電力情報の表示）
図４は、本発明の一実施形態に係る表示装置１における消費電力情報の表示形態の一例を示す図である。
【００９２】
図４に示すように、表示装置１では、表示用の情報として、消費電力に関する情報１８ｃとともに、消費電力に影響を与える機能をメニュー項目１８ａ，１８ｂとして表示してもよい。ここで、メニュー項目１８ａは、表示装置１の画像特性を制御する機能（ＥＣＯ  ｐｉｃｔｕｒｅ  ｃｏｎｔｒｏｌ（ＥＰＣ））を作動させるか否か（例えば、ＯＮ／Ｏｆｆで表示する）を設定する項目であり、メニュー項目１８ｂは、表示装置１の節電機能（Ｅｎｅｒｇｙ  ｓａｖｅ）の作動段階（例えば、Ｏｆｆ／Ｓｔａｎｄａｒｄ／Ａｄｖａｎｃｅｄ等で表示する）を設定する項目である。
【００９３】
例えば、ユーザーが消費電力に影響を与えるメニュー項目１８ａまたは１８ｂの設定を変更すると、当該設定された情報が表示されるとともに、これに連動して表示されている消費電力に関する情報１８ｃも変化する。このように、消費電力に関する情報１８とともにメニュー項目１８ａ，１８ｂも併せて表示することにより、メニュー項目１８ａ，１８ｂとして表示させた機能をどのように設定すれば電力の消費に繋がるのかをユーザーに容易に示すことができる。
【００９４】
また、メニュー項目１８ａ，１８ｂに表示される機能の設定は自動的に切り換えられてもよい。例えば、ＥＰＣのＯＮ／ＯＦＦの切り換えを１０秒間と設定し、Ｅｎｅｒｇｙ  ｓａｖｅの切り換えを５秒間と設定しておくことにより、ユーザーに対して効果的に消費電力表示のデモを行なうことができる。なお、メニュー項目として表示される機能はこれに限定されるものではなく、消費電力に影響を与える機能を適宜選択すればよい。
【００９５】
また、消費電力に関する情報１８ｃも自動的に更新して表示すればよい。例えば、３００ミリ秒ごとにグラフを更新することにより、さらに効果的にユーザーに対して消費電力量の変化を示すことができる。
【００９６】
（リアルタイム表示）
ここで、本実施形態に係る表示装置１におけるリアルタイム表示について説明する。図５は、本発明の一実施形態に係る表示装置１における消費電力を示す棒グラフである。
【００９７】
上述したように、表示装置１では表示用の情報をリアルタイムに表示する。すなわち、本実施形態に係る表示装置１では、消費電力情報取得部５が一定時間ごとに消費電力に関する情報を取得する。このため、消費電力情報取得部５が取得した最新の消費電力に関する情報から生成された最新の表示用の情報と、当該最新の表示用の電力よりも過去に生成された表示用の電力とを、互いに関連付けて表示することができる。
【００９８】
具体的には、図５に示すように、「現在」、「１秒前」、「２秒前」および「３秒前」の消費電力を時系列に棒グラフで同時に表示することにより、使用者は現在と過去の消費電力を容易に確認することができる。また、１秒間隔に取得した表示用の情報を表示することにより、例えば、使用者が音量レベルを増減させることにより、自身の動作に伴って消費電力がどの程度変化するかを確認することができる。したがって、省エネに対する意識を高めることができる。
【００９９】
また、図５に示すように、音量の消費電力レベル（網掛け領域）４１、バックライト３の消費電力レベル（斜線領域）４２および表示装置１のその他の消費電力レベル（白色領域）４０と、主に電力が消費される部位をそれぞれ表示することにより、実際にどこで電力が消費されているのかを確かめることができる。
【０１００】
この場合、例えば、バックライト３の輝度の値を、一操作によって最小にすることが可能な手段（例えば、リモコンキー等に割り当てる）をさらに設けることにより、バックライト３の明るさに連動して、バックライトの消費電力レベル４２が減少していく様子を容易に観察できる。これにより、使用者は、バックライト３の輝度の変化によって、消費電力がどのように変化するかを認識することができる。
【０１０１】
なお、本実施形態に係る表示装置１において、消費電力情報取得部５は、映像取得部６が取得対象の映像を他の映像に切り換える処理を実行している間、消費電力に関する情報の取得を一時停止することが好ましい。同様に、消費電力情報取得部５は、映像取得部６が取得対象の映像を他の映像に切り換える処理を実行している間、表示用の情報の表示を一時停止することが好ましい。
【０１０２】
すなわち、映像取得部６が取得対象の映像を他の映像に切り換える処理を実行しているとき、当該処理を実行中の画面は何も表示されていない状態、すなわち黒くなる。この状態では、表示パネル２の輝度等の消費電力量が極端に下がり、消費電力に関する情報に連続性がなくなる。
【０１０３】
したがって、当該処理を実行している間、消費電力に関する情報の取得、または表示用の情報の表示を一時停止することにより、消費電力に関する情報を連続的に表示することができる。
【０１０４】
表示用の情報を表示する形態としては、これに限定されるものではなく、例えば、図６に示すように、折れ線グラフで表示してもよい。図６は、本発明の一実施形態に係る表示装置１における消費電力を示す折れ線グラフである。
【０１０５】
（消費電力値の算出）
ここで、消費電力値の算出方法の一例として、スピーカ１３の音量の音量設定値から消費電力値を求める方法について、図７（ａ）〜図７（ｃ）を参照して説明する。図７（ａ）は、本実施形態に係る消費電力値の算出手段を示す図であり、図７（ｂ）は、一定の時間測定した音声信号から、時間−平均電力特性を測定した図であり、図７（ｃ）は、音声信号平均電力−消費電力特性を示す図である。
【０１０６】
ここでは、音声の消費電力を算出する方法を示す。図７（ａ）に示すように、表示装置１は、音声信号平均電力計算手段５１および信号増幅器の消費電力推定用テーブル５２を備えていてもよい。
【０１０７】
音声信号平均電力計算手段５１は、映像取得部６が取得する映像信号の音声をスピーカ１３から出力しているとき、予め設定された音量設定値における、一定の時間測定した音声信号から、音声信号平均電力を算出する。さらに、音声信号平均電力計算手段５１は、音量設定値を最小値から最大値に可変したときの、それぞれの音声信号平均電力を算出する。
【０１０８】
信号増幅器の消費電力推定用テーブル５２は、音量設定値を最小値から最大値に可変したときの、それぞれの音声信号平均電力、および音声処理回路全体の消費電力（例えば、図示しないスピーカ１３の入力端子部における電力値（電流値×電圧値）に相当する）のデータをテーブルに保存する。このテーブル値を用いて、消費電力算出手段（図示せず）が、音声処理回路、すなわちスピーカ１３における消費電力値を求める。
【０１０９】
また、バックライトの輝度に基づく消費電力値の求め方は、バックライトの輝度設定値ごとに計測した消費電力をテーブルとして予め保存し、現在の映像から最適な輝度設定値を算出し、その値に対応した消費電力をテーブルから算出することにより求める。このように求められた消費電力値は、消費電力記憶部１９に送られる。
【０１１０】
次に、表示装置１における表示用の情報の各動作モードについてさらに説明する。
【０１１１】
（Ｂ−ＣＡＳカードの種類に基づいた表示）
まず、Ｂ−ＣＡＳカードの種類に基づいた動作モードの切り替えについて、図８および図９を参照して説明する。図８および図９は、本発明の一実施形態に係る表示装置における、表示用の情報の動作モードの一例を示す説明図であり、Ｂ−ＣＡＳカードの種類に基づいた表示を示す。
【０１１２】
Ｂ−ＣＡＳカードとは、デジタル放送の番組の著作権保護や有料放送の視聴等に利用されているＩＣカードである。本実施形態において、動作モード切換部１０は、表示装置１に挿入されたＢ−ＣＡＳカードの種類に基づいて、動作モードを切り換える。
【０１１３】
すなわち、表示装置１に、例えば店頭用のＢ−ＣＡＳカードカードを挿入した場合、図８に示すように表示用の情報１４ａを表示する。また、表示装置１に、例えば店頭用以外のＢ−ＣＡＳカードカードを挿入した場合、図９に示すように表示用の情報１４ｂを表示する。
【０１１４】
図８および図９を比較すると、店頭用のＢ−ＣＡＳカードが挿入されているときの表示用の情報１４ａは、店頭用以外のＢ−ＣＡＳカードが挿入されているときの表示用の情報１４ｂよりも、映像１５に対する表示割合が多い。
【０１１５】
このため、例えば、表示装置１が店頭において展示される場合には、グラフまたはフォントのサイズを大きく表示することにより、消費電力レベルの動的な変動割合の様子を、使用者が認識し易い表示画面でアピールすることができる。一方、家庭において使用する場合には、グラフの簡素化またはフォントのサイズを小さく表示することにより、視聴している映像を妨げることが少なくなる。
【０１１６】
このように、表示装置１では、挿入されるＢ−ＣＡＳカードの種類によって、映像１５に対する表示用の情報１４ａの表示割合を切り換えることができる。なお、Ｂ−ＣＡＳカードとしては、例えば、赤カード、青カードおよびＣＡＴＶ専用カード（オレンジ色）を含む。
【０１１７】
すなわち、赤カードは、ＢＳ、１１０度ＣＳおよび地上デジタル放送の３波共用受信機に対応しているカードである。なお、赤カードはＢＳ、１１０度ＣＳおよび地上の再送信用のカードであり、赤カードの裏面にＢＳデジタル専用と書かれていてもダウンロードサービスを受けることにより３波を利用することが可能である。
【０１１８】
青カードは、地上デジタル放送専用受信機に対応しているカードである。なお、青カードは、Ｂ−ＣＡＳ社へのライセンス料の支払軽減が目的とされており、ＢＳ及び１１０度ＣＳは受信可能であるがＣＳの有料番組の契約はできない。
【０１１９】
また、ＣＡＴＶ専用カードは、デジタルＣＡＴＶ（統合デジタルシステム）専用受信機に対応しているカードであり、赤カードとセットで発行される。
【０１２０】
また、Ｂ−ＣＡＳカードとしては、これに限定されるものではなく、例えば、防水仕様等の装着が難しい機器のために、予め挿入済みの地上デジタル専用(特別内蔵用)カード、店頭展示テレビ専用の白カード、用途限定の黄カードおよび業務用の黒カード等、限られた用途のＢ−ＣＡＳカードも含む。
【０１２１】
なお、動作モードの切り換えは、上述のＢ−ＣＡＳカードの種類に基づいた方法に限定されるものではなく、表示装置１の出荷初期設定後、Ｉｎｉｔｉａｌ  Ｉｎｓｔａｌｌａｔｉｏｎ内でＨｏｍｅまたはＳｔｏｒｅのモードを選択することによって、動作モードを切り換えることができる。
【０１２２】
（消費電力の強調表示）
図１０は、本発明の一実施形態に係る表示装置１における、表示用の情報の動作モードの一例を示す説明図であり、消費電力の強調表示を示す棒グラフである。
【０１２３】
図１０に示す動作モードでは、図５に示す動作モードと比較して、消費電力レベルの割合が高いものを強調して示している。例えば、バックライト３の輝度が最も電力を消費する割合が高い場合、図１０に示すように、音量の消費電力レベル（網掛け領域）４４または表示装置１のその他の消費電力レベル（白色領域）４３と比較して、バックライト３の消費電力レベル（斜線領域）４５がバーにおいて占める割合を多くする。
【０１２４】
これにより、バックライト３における現在の消費電力と過去の消費電力との差を強調して表示することができる。
【０１２５】
なお、消費電力の強調表示は、棒グラフに限定されるものではなく、例えば、図１１に示すように折れ線グラフによって表示してもよい。図１１は、本発明の一実施形態に係る表示装置１における、表示用の情報の動作モードの一例を示す説明図であり、消費電力の強調表示を示す折れ線グラフである。
【０１２６】
（現在の消費電力に基づくアドバイス情報の表示）
図１２および図１３は、表示用の情報の動作モードの一例を示す説明図であり、現在の消費電力に基づくアドバイス情報の表示を示す。
【０１２７】
図１２および図１３に示す動作モードでは、表示用の情報において、消費電力のレベルに加え、現在の消費電力に基づくアドバイス情報１６ａ，１６ｂを表示する。すなわち、この動作モードでは、現在の消費電力に基づいて、使用者がどのような設定を行なえば、消費電力を下げることが可能であるかというアドバイス情報１６ａ，１６ｂを、文字によって表示する。なお、図１２〜図１７に示す「明るさセンサーオン」とは、光センサによって表示装置１の外光を測定している状態が意図される。
【０１２８】
例えば、図１２に示すように、アドバイス情報１６ａを表示用の情報を表示する領域内に表示してもよいし、図１３に示すように、アドバイス情報１６ｂを吹き出しとして映像領域にまではみ出すように表示してもよい。これにより、どのような設定を行なえば、消費電力を下げることが可能であるかがより分かり易い。なお、アドバイス情報１６ａ，１６ｂを表示する領域および形状はこれに限定されるものではなく、さらに、スピーカからの音声ガイダンスとしてアドバイス情報を示してもよい。
【０１２９】
また、図１４は、本発明の一実施形態に係る表示装置１における、表示用の情報の動作モードの一例を示す説明図であり、その他のアドバイス情報の表示を示す。
【０１３０】
図１４に示すように、表示用の情報は、上述した、現在の消費電力に基づくアドバイス情報１６ａ，１６ｂの代わりに、明るさセンサー、すなわち光センサをオンにすることにより得られる効果を強調して表示することができる。
【０１３１】
（アニメーションによる表示）
図１５および図１６は、表示用の情報の動作モードの一例を示す説明図であり、現在の消費電力に基づくアニメーションによる表示を示す。
【０１３２】
図１５および図１６に示す動作モードでは、表示用の情報において、消費電力のレベルに加え、現在の消費電力に応じたアニメーションを表示する。すなわち、この動作モードでは、消費電力のレベルに加えて木のアイコン１７ａ，１７ｂ等を用いて、消費電力の大小を表現する。
【０１３３】
例えば、消費電力が増加した場合には、図１５に示すように、木のアイコン１７ａの葉の数が減少し、一方、消費電力が減少した場合には、図１６に示すように、木のアイコン１７ｂの葉の数が増加する。これにより、使用者は、木のアイコン１７ｂの葉の数が増加すると、増加した木の枝葉が、消費電力が低下した分に相当する二酸化炭素を吸収するイメージを抱くことができるので、省エネ効果を一目で認識することができる。なお、表示するアニメーションとしては、これに限定されるものではなく、時間的な変化を持ちながら出力することができればよい。
【０１３４】
なお、表示装置１における表示用の情報の動作モードとしては、これに限定されるものではない。
【０１３５】
例えば、表示用の情報を映像に透過させて表示することが好ましい。すなわち、表示部１２は、消費電力の値を示す表示用の情報を映像取得部６が取得した映像に透過させて表示する。これにより、表示部１２は、表示用の情報をその背面が透過して見えるような半透明状態で表示するので、表示用の情報が表示されている箇所においても、当該情報の上から映像を見ることができる。
【０１３６】
また、消費電力の低減割合を、例えば、消費電力が多い方から順に、赤、黄、青および緑と異なる色に変化するように色別に表示してもよい。
【０１３７】
また、時間を計時するタイマ等を用いて、タイマに応じて文字または画像を時間的な変化を持ちながら出力させてもよい。また、例えば、表示装置１が時計機能を有する場合、間欠表示、同期表示または非同期表示等により表示させてもよい。
【０１３８】
また、図１７は、本発明の一実施形態に係る表示装置における、表示用の情報のデモンストレーションを示す説明図である。本実施形態に係る表示装置１が、テレビジョン装置である場合、図１７に示すように、チャンネルの切り換えに応じて、表示用の情報を表示することができる。
【０１３９】
この場合、チャンネルコール（選局番号）と連動して、表示用の情報を表示する。また、表示パネル２がチャンネルを切り換えた後、一定の時間が経過した後に、表示用の情報の表示を自動的に終了する計時手段をさらに備えていてもよい。これにより、使用者が手動で操作しなくとも、使用者がチャンネルを切り換えると同時に計時手段が作動し、表示用の情報を自動的に消去する。
【０１４０】
さらに、本実施形態に係る表示装置１は、上述した、表示装置１における消費電力に加え、図示しない外部接続機器における、動作中の消費電力の状態を表示する省エネモニター、または表示装置１と接続された太陽電池の発電力モニター等を切り換えて、単独で表示したり、あるいは複数の子画面で同時に表示してもよい。
【０１４１】
（本発明の別の実施形態に係る表示装置１００）
図１８は、本発明の別の実施形態に係る表示装置１００の構成を示すブロック図である。本実施形態に係る表示装置１００は、テレビである。
【０１４２】
本実施形態に係る表示装置１００では、主に、上述した入力部４はリモコン受光部１２２、映像取得部６はビデオデコード／キャプチャ部１０８、消費電力情報変換部７および重ね合わせ処理部８はＯＳＤ処理部１１０、ならびに表示部１２はビデオ出力変換部１１２にそれぞれ相当する。また、表示装置１００は、ワンセグ放送を含むデジタル放送、アナログ放送、ＣＡＴＶ放送、ＩＰ放送、地域サーバ型放送に対応する。
【０１４３】
図１８に示す表示装置１００における重ね合わせ処理について説明する。表示装置１００では、まず、デジタル放送、アナログ放送、ＣＡＴＶ放送またはＩＰ放送等から、ビデオセレクタ部１０９に映像信号が入力される。次に、ＯＳＤ処理部１１０において作成した、例えば、消費電力のレベルを示すバーまたはその背景等の表示用の情報を、入力された映像信号に対して重ね合わせる。このように表示用の情報を重ね合わせた映像信号を、ビデオ出力変換部１１２へ入力する。
【０１４４】
（プログラムおよび記録媒体）
最後に、表示装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１４５】
すなわち、表示装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１４６】
この構成により、本発明の目的は、所定の記録媒体によっても、達成できる。この記録媒体は、上述した機能を実現するソフトウェアである表示装置１の制御プログラムのプログラムコード（実行形式プログラム、中間コードプログラム、ソースプログラム）をコンピュータで読み取り可能に記録していればよい。表示装置１にこの記録媒体を供給する。これにより、コンピュータとしての表示装置１（またはＣＰＵやＭＰＵ）が、供給された記録媒体に記録されているプログラムコードを読み出し、実行すればよい。
【０１４７】
プログラムコードを表示装置１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４８】
また、表示装置１を、通信ネットワークと接続可能に構成しても、本発明の目的を達成できる。この場合、上記のプログラムコードを、通信ネットワークを介して表示装置１に供給する。この通信ネットワークは、表示装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１４９】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５１】
本発明は、省エネの意識を高めることを目的とする表示装置に適用可能であり、例えば、液晶テレビ、プラズマテレビまたは有機ＥＬテレビ等に利用することができる。
【符号の説明】
【０１５２】
１    表示装置
２    表示パネル
３    バックライト
４    入力部（設定手段）
５    消費電力情報取得部（取得手段）
６    映像取得部（映像取得手段）
７    消費電力情報変換部（変換手段）
８    重ね合わせ処理制御部（制御手段）
９    外光測定部（測定手段）
１０  動作モード切換部（切換手段）
１１  バックライト制御部（表示画面輝度制御手段）
１２  表示部（表示手段）
１３  スピーカ
１９  消費電力情報記憶部（記憶手段）
【図１】
2011015366.tif 000003
【図２】
2011015366.tif 000004
【図３】
2011015366.tif 000005
【図４】
2011015366.tif 000006
【図５】
2011015366.tif 000007
【図６】
2011015366.tif 000008
【図７】
2011015366.tif 000009
【図８】
2011015366.tif 000010
【図９】
2011015366.tif 000011
【図１０】
2011015366.tif 000012
【図１１】
2011015366.tif 000013
【図１２】
2011015366.tif 000014
【図１３】
2011015366.tif 000015
【図１４】
2011015366.tif 000016
【図１５】
2011015366.tif 000017
【図１６】
2011015366.tif 000018
【図１７】
2011015366.tif 000019
【図１８】
2011015366.tif 000020